(57)【要約】　　　（修正有）【課題】単管の肉厚の変化に対応出来、嵩張りを少なくして輸送コストを下げ、鉄筋のホールドを強くし、また、安全のため、光の反射を広い角度にし確実にすることが出来る単管用キャップを提供する。【解決手段】単管に対してはキャップの天面内周部又は羽根の外側側面で嵌合をするため、１つのキャップで単管の外径又は内径に嵌合が出来、また鉄筋に対しては接触部分を鋭角三角形でホールドするので特に強くホールドが出来、ダイヤカットの天面部とラメを入れることによって光の反射が著しく良くなる。【選択図】　　　　図１
2004116143.tif 000002
【特許請求の範囲】
【請求項１】
両側面にテーパ部１を有し略同一円周上に放射状に配置された複数枚の羽根２，略円筒状の外周部３及びダイヤカットされたドーム状の天面部部４が一体成形されかつラメ５が配置されたことを特徴とする単管用キャップ
【請求項２】
羽根の内側側面１０の断面形状が内側にむかって鋭角三角形であることを特徴とする請求項１記載の単管用キャップ
【発明の詳細な説明】
【０００１】
【発明が属する技術分野】
工事現場における単管用キャップに関するものである。
【０００２】
【従来の技術】
従来の物は、単管との嵌合を放射状の羽根の外側８（図２，図５）で取っていた。最近、肉厚の薄い単管が結構出回っているが、外径が一定で内側の肉を薄くしているので、従来の単管キャップでは合わなくなり、新たに薄肉用の単管用キャップを作る必要があった。又、従来のものは筒状の部分７（図２）があり、このため嵩張りが大きくなり、輸送コストがかかっていた。従来から、１つのキャップで単管との嵌合と鉄筋のホールドを兼用するものはあったが、羽根の内側側面１０（図２）の断面形状が長方形のため鉄筋のホールドが弱くなり、そのため筒状の部分を長くしなければならなかったので嵩張りが大きく輸送コストがかかっていた。
【０００３】
道路工事現場での歩行者や現場作業員の安全面から、光を反射させるため図２の平面図のように天面部の一部に反射シールを付けたものがあった。これは前方部から光の反射を利用するものである。また蛍光色のキャップもあったが紫外線劣化の為、蛍光色の効果の保持期間が限られていた。このように、従来の単管キャップは単管の肉厚の変化に対応できないし、嵩張りも大きく、輸送コストがかかっていた。また光の反射も角度や期間がかぎられていた。また表面が汚れた時、拭いてキズが出来たら輝きが悪くなっていた。
【０００４】
【発明が解決しようとする課題】
本発明は上記の事情に鑑みなされたもので、その解決しようとする課題は、単管の肉厚の変化に対応し、嵩張りを少なくして輸送コストを下げ、鉄筋のホールドを強くし、また、安全のため、光の反射を広い角度にし確実にすることにある。本発明はこれらすべてを１つのキャップで一気に解決するものである。
【０００５】
本発明は、従来品は羽根の外側８（図２）だけで嵌合しているのでパイプの内側の肉が薄くなると抜けてしまと言う、単管の肉厚の変化に対する不都合にも対応し、また従来品は羽根の内側側面１０（図２）の断面の形状が長方形であるので、鉄筋のホールドが弱く、そのため筒状の部分が長くなり、嵩張りが多くなり輸送コストがかかっているのを、鉄筋のホールドを強くし、筒状の部分７（図２）をなくして嵩張りを小さくして輸送コストを下げるものである。又従来品はキャップの天面部の反射シールは前方からしか見ることが出来ないし、蛍光のものは表面が汚れて拭いてキズが出来たら輝きが悪くなると言う課題があった。
【０００６】
【課題を解決するための手段】
本発明では、単管との嵌合を羽根の外側側面８（図１）と天面内周部９（図１Ａ−Ａ断面図）と両方で合わせるので単管の肉厚が薄くなって（一般的には、肉厚が薄くなるときは内側の肉が薄くなって、外径は一定である。）内径が増えても単管の外径と単管キャップの前述の天面内周部９（図１　Ａ−Ａ断面図）が嵌合するので問題は起きない。また該天面内周部９と前述の羽根の外側側面８はテーパを取ってあるので、たとえ単管の肉厚の変化が外径と内径と同時に起こっても、嵌合する事が出来るものである。
【０００７】
鉄筋のホールドに対しては、羽根の内側側面１０（図１）の断面形状を図３のように鋭角三角形にして、鉄筋１１（図３）が入ってくると先端部がつぶれて押し広がり、該鉄筋１１をホールドしやすくする。又、該鉄筋１１をホールドしやすいように、柔らかいが、有る程度つぶれれば保持する力が見込まれる材質を選択する。該鉄筋１１をホールドする力が十分あるので羽根の長さを短くすることが可能である。また、本発明品には図５の筒状の部分７がないので嵩張りが小さくなり、輸送コストを下げることが出来る。
【０００８】
本発明品は、透明又は、半透明のプラスチックで成形してラメ５（図１）を全体的に配合しているため、あらゆる角度に光を反射するので、前方はもちろん真横又は斜め後方からでも光の反射を見ることが出来る。図１に示したように天面部４はドーム状をしているので、又外周部３が単管にかぶるので、ほとんどの角度から光の反射を見ることが出来、安全を確保出来る。前述のラメ５が内部に入っていて、表面が透明又は半透明の樹脂で保護されているので、表面が汚れてもふき取れば元の光沢を維持出来る。また拭いたとき、表面にキズが着いても、ラメ５は内部に点在しており、ラメ５にはキズが入らないので光沢を維持できる。図２のように頭部をダイヤカットにしてラメの反射効果を上げている。
【０００９】
【発明の実施の形態】
本発明になる単管用キャップは概ね２種類の形態で実施される。その１は請求項１で訴求した如く、図５のように羽根の外側側面８、及びまた天面内周部９が単管との嵌合を受け持つ事になるが、どちらも肉厚の変化に対応できるテーパ部を持っていることが好ましい。また図１及び図４では羽根の枚数が４枚であるが、３枚、５枚、６枚、８枚か、又はそれ以上と複数枚数付ける事も出来る。材質はプラスチックが好ましいが、木材、エラストマー、ゴム、金属、その他の物を使うことも出来る。
【００１０】
図３の使用例で分かるように鉄筋１１の外径のばらつきに対応出来るように図１のごとく羽根２の内側はテーパ部を持っていることが好ましい。本発明品にはラメ５（図１）を全体的に配置するものであるが、該ラメ５は細かいものもきめが細かくきれいであるし、また荒いラメも大きく光を反射して好ましいものである。このラメ５を引き立たせるため本発明品の材質にプラスチックを使用する場合、透明又は半透明のものを使用して中のラメ５を引き立たせると共に、内部のラメ５を保護する役目も果たす事になる。使用できる代表的なプラスチックはＰＰ、ＰＥ、アクリル、クリアレン、Ｋレジン、ＡＢＳ、スチロール、ＰＶＣ、ナイロン、ポリカーボネート等が考えられる。図１のように天面部がダイヤカットされているのでラメ５の光の反射がより一層効果が上がる。
【００１１】
本発明の実施形態の２番目は、請求項２で訴求した如く、図１の底面図のように羽根２の内側側面の断面形状が内側に向かって鋭角三角形になっている場合である。これは、図３のように鉄筋１１をホールドする時、プラスチックの方が鉄筋より硬度が柔らかいため先端部がつぶれて広くなり確実にホールドするようになる。材質も、ＰＰ、ＰＥ、アクリル、ＡＢＳ、スチロール、ＰＶＣ、ナイロン、ポリカーボネート等が考えられるが、その他の木材、エラストマー、ゴム、金属等も使うことも出来る。前述の羽根２の先端の形状も図４のように、ナイフエッジになっていても好ましい。又前前述の鋭角三角形や前述のナイフエッジの先端部に少しのＲを取るのもよい。図１の正面図に示しているように羽根の内側部分にテーパをとっておくのが好ましい。
【００１２】
【実施例】
図５は本発明の実施の一例である。単管キャプの外形については全高さは４０ｍｍで天面部の外径は５３Φで、羽根のテーパ部の詳細が図６のものを準備した。単管は外径が４８．６Φ（一定）で、内径が４４．６Φ（肉厚２ｍｍ）のもと、同じく内径が４５．４Φ（肉厚が１．６ｍｍ）のものを用意した。内径４４．６Φ（肉厚２ｍｍ）の単管に嵌合出来る単管キャップを、内径４５．４Φ（肉厚１．６ｍｍ）に使用したが嵌合具合は前述のものと比べて問題がなかった。次に、外径４８．０５Φで内径が４５．０５Φ（肉厚が１．５ｍｍ）のパイプに前述の単管キャップを勘合させてみたが問題なく勘合できた。
【００１３】
次に図１の羽根の内側側面１０の断面形状で底面図のように鋭角三角形の鋭角の部分を６０度のものと長方形のものを用意した。実験方法は、図７のようにそれぞれを上から４．５ＫＧの力で５秒間押さえて鉄筋をホールドした。次にそれぞれを２ＫＧの力で引き抜いた。断面が長方形の物は直ぐに抜けてしまったが、前述の角度が６０度のものは３分たっても引き抜けなかった。結局、引き抜くのに４ＫＧの力が必要であった。
【００１４】
図５の本発明品と、同じ形状（天面部の外径５３Φ、全高さ４０ｍｍも全く同じ）で筒状の部分７（図２）に相当するものがあるものを５０個ずつ箱にいれて、嵩張りを見たが本発明品は筒状の部分が有る物に比べて容積が７０％で収まった。次に図５のものと従来品（図２で天面部の外形が５５Φで全高さ６０ｍｍ）ものを５０個ずつ箱に入れて嵩張りをみたが、本発明品は従来品の５０％の容積で収まった。
【００１５】
図１の平面図ように本発明品をダイヤカットの１６面体で製作し、材料が透明ＰＰで全面にラメを施したものを用意した。これを図８のように斜め後方から光をあてて反射をみたが、ほぼ真後ろからでも５０−６０個のラメが光を反射するのが確認できた。
【００１６】
次に、前述のダイヤカットの１６面体のものと、おなじくダイヤカットのないものを用意し光を当てる実験をした。図９のようにＢの範囲に光を当てたところ、ダイヤカットの無いものはＢの範囲のみでラメが光ったが、本発明品はダイヤカットを施してあるのでＢより広いＡの範囲でラメが光を反射した。なお、図９の寸法の大小関係は　Ｌ＜Ｂ＜Ａ　である。実際の実験ではＬ＝２０ｍｍ（ダイヤカット１面の長さは１０ｍｍである），Ａ＝４０ｍｍ（Ａ＝２Ｌ）、Ｂ＝２４ｍｍで、ダイヤカット２面分より少し長い２４ｍｍの範囲で光を当てたところ、ダイヤカットのないものは２４ｍｍの範囲でしかラメを反射できなかったが、ダイヤカットのあるものは４０ｍｍの広範囲でラメが光を反射した。ラメが光を反射する範囲の広さは明らかにダイヤカットの影響が認められた。
【００１７】
【発明の効果】
前述の実施例のごとく、本発明品は単管との嵌合、鉄筋のホールド、嵩張り、光の反射の点で、従来品と比べて著しく効果が認められた。
【図面の簡単な説明】
【図１】基本構造を示す図である（正面図、平面図、底面図、断面図）
【図２】従来品の図である
【図３】本発明の効果を説明する図である（鉄筋使用例）
【図４】本発明の実施例である
【図５】本発明の効果を説明する図である（単管使用例）
【図６】テーパ部の寸法詳細図である
【図７】鉄筋ホールドの実施例の図である
【図８】光の後方への反射の効果を説明する図である
【図９】ダイヤカット（ラメ入り）の効果を示す図である
【図１】
2004116143.tif 000003
【図２】
2004116143.tif 000004
【図３】
2004116143.tif 000005
【図４】
2004116143.tif 000006
【図５】
2004116143.tif 000007
【図６】
2004116143.tif 000008
【図７】
2004116143.tif 000009
【図８】
2004116143.tif 000010
【図９】
2004116143.tif 000011